(57)【要約】【課題】簡易な作業で無線ＬＡＮ網を整備することができる無線ＬＡＮ機能を有する照明装置を提供する。【解決手段】商用電源に接続される電源線９と、電源線９から供給された電力を直流電力に変換する電源変換器２と、電源変換器２から供給される電力により発光可能なライト（ＬＥＤライト３）と、電源変換器２とＬＥＤライト３との間に介在され、所定の明るさより暗い場合にＬＥＤライト３を発光させ、所定の明るさより明るい場合にＬＥＤライト３を発光させないように構成された明るさスイッチ４と、ＬＥＤライト３と並列に電源変換器２と接続された無線ＬＡＮ中継器５とを備える。  照明器具１は、環境が前記所定の明るさより明るく、明るさスイッチ４がＬＥＤライト３を発光させない場合であっても、無線ＬＡＮ中継器５に電力が供給され、無線ＬＡＮ機能を利用できる。【選択図】図２
2020107450.tif 000002
【特許請求の範囲】
【請求項１】
商用電源に接続される電源線と、
前記電源線から供給された電力を直流電力に変換する電源変換器と、
前記電源変換器から供給される電力により発光可能なライトと、
前記電源変換器と前記ライトとの間に介在され、所定の明るさより暗い場合に前記ライトを発光させ、前記所定の明るさより明るい場合に前記ライトを発光させないように構成された明るさスイッチと、
前記ライトと並列に前記電源変換器と接続された無線ＬＡＮ中継器と、
を備え、
環境が前記所定の明るさより明るく、前記明るさスイッチが前記ライトを発光させない場合であっても、前記無線ＬＡＮ中継器に電力が供給されることを特徴とする無線ＬＡＮ中継機能を有する照明器具。
【請求項２】
前記無線ＬＡＮ中継器と通信可能に接続された制御モジュールであって、前記無線ＬＡＮ中継器を介して受信した信号により前記ライトを制御可能な制御モジュールをさらに備えることを特徴とする請求項１に記載の無線ＬＡＮ中継機能を有する照明器具。
【請求項３】
前記無線ＬＡＮ中継器は、
無線接続される端末を特定する端末識別情報を所定の記憶領域に記憶可能であり、
記憶された端末識別情報に対応する端末が接続された場合に、前記制御モジュールを介して、前記ライトを、通常時と異なる状態で発光させることを特徴とする請求項２に記載の無線ＬＡＮ中継機能を有する照明器具。
【請求項４】
前記電源線に接続されたプラグであって、前記商用電源に接続されたソケットに着脱可能なプラグをさらに備えることを特徴とする請求項１から請求項３のいずれか１項に記載の無線ＬＡＮ中継機能を有する照明器具。
【発明の詳細な説明】
【技術分野】
【０００１】
本発明は、無線ＬＡＮ中継機能を有する照明装置に関する。
【背景技術】
【０００２】
従来、無線ＬＡＮ中継機能を備えたＬＥＤ電球が知られている（非特許文献１）。
【先行技術文献】
【特許文献】
【０００３】
【非特許文献１】今井  淳南、”世界が注目！「2015 CES Innovation Awards」受賞プロダクトまとめ［IoT・スマートホーム編］”、２０１４年１２月２５日、［平成３０年１２月５日検索］、インターネット(URL: https://abejainc.com/o2o/leading-edge-technology/iot/post-6882/)
【発明の概要】
【発明が解決しようとする課題】
【０００４】
ところで、昨今、インバウンドの旅行者等に向けた利便性向上など、インフラ整備として、公共的な無線ＬＡＮを整備することが求められている。
【０００５】
しかし、上述した通信媒体変換装置等は、主に家庭での使用を想定したもので、照明を消すために電源をオフにすると、通信機能も停止してしまうため、公共的な場所で広く無線ＬＡＮを整備するのには適さないという問題がある。
【０００６】
そこで、本発明は、簡易に無線ＬＡＮ網を整備することができる無線ＬＡＮ機能を有する照明装置を提供することを目的とする。
【課題を解決するための手段】
【０００７】
前記した課題を解決する本発明は、商用電源に接続される電源線と、電源線から供給された電力を直流電力に変換する電源変換器と、電源変換器から供給される電力により発光可能なライトと、電源変換器とライトとの間に介在され、所定の明るさより暗い場合にライトを発光させ、所定の明るさより明るい場合にライトを発光させないように構成された明るさスイッチと、ライトと並列に電源変換器と接続された無線ＬＡＮ中継器と、を備える。
【０００８】
この照明器具によれば、無線ＬＡＮ中継器は、ライトと並列に電源変換器と接続されているため、環境が所定の明るさより明るく、明るさスイッチがライトを発光させない場合であっても、無線ＬＡＮ中継器に電力が供給される。したがって、公共的な場所に照明器具が設置され、周囲の環境変化で明るさが変わり、ライトが点灯・消灯の変化をしても、無線ＬＡＮの通信機能を利用することができる。このため、公共的な場所で、簡易に無線ＬＡＮ網を整備することができる。
【０００９】
前記した照明器具においては、無線ＬＡＮ中継器と通信可能に接続された制御モジュールであって、無線ＬＡＮ中継器を介して受信した信号によりライトを制御可能な制御モジュールをさらに備えることができる。
【００１０】
この構成によれば、外部の端末から、無線ＬＡＮ中継器を介して制御モジュールに制御信号を送ることで、ライトを制御することができる。
【００１１】
前記した照明器具において、無線ＬＡＮ中継器は、無線接続される端末を特定する端末識別情報を所定の記憶領域に記憶可能であり、記憶された端末識別情報に対応する端末が接続された場合に、制御モジュールを介してライトを通常時と異なる状態で発光させるように構成することができる。
【００１２】
このような構成によれば、管理用の端末から、所定の記憶領域に端末識別情報を書き込めば、無線ＬＡＮ中継器にその識別情報に対応する端末が接続された場合に、無線ＬＡＮ中継器が制御モジュールを介してライトを通常と異なる状態で発光させる。このため、端末所持者の居場所をライトの通常時と異なる状態での発光によって探し出すことができる。
これにより、例えば、迷子や、行方不明の人、または、犯罪者などを見つけやすくなる。
【００１３】
前記した照明器具においては、電源線に接続されたプラグであって、商用電源に接続されたソケットに着脱可能なプラグをさらに備えていてもよい。
【００１４】
このような構成によれば既存の、ソケットを有する照明器具に、本発明の照明器具を取り付けることで、簡易な作業で無線ＬＡＮ網を整備することができる。
【発明の効果】
【００１５】
本発明によれば、簡易に無線ＬＡＮ網を整備することができる。
【図面の簡単な説明】
【００１６】
【図１】第１実施形態に係る照明器具を外灯に取り付ける前の状態（ａ）と、取り付けた後の状態（ｂ）を示す図である。
【図２】第１実施形態に係る照明器具のブロック図である。
【図３】第２実施形態に係る照明器具のブロック図である。
【図４】第２実施形態において、近づいた端末に応じて照明器具が点滅する状態を説明する図（ａ），（ｂ）である。
【発明を実施するための形態】
【００１７】
次に、本発明の実施形態について、適宜図面を参照しながら詳細に説明する。
［第１実施形態］
図１（ａ）に示すように、第１実施形態に係る照明器具１は、蛍光灯形の器具であり、道路などの公共の場所に備えられる外灯１０に取り付けられるものである。
外灯１０は、本体１１とカバー１２を有し、本体１１には、照明器具１が取り付けられるソケット１７が設けられている。ソケット１７は、商用電源９０と接続されている（図２参照）。
照明器具１は、ソケット１７に着脱可能なプラグ７を有し、蛍光灯に類似したケース内に、ＬＥＤライト３と、無線ＬＡＮ中継器５を収容している。そして、プラグ７を外灯１０のソケット１７に取り付け、カバー１２を本体１１に取り付けることで、図１（ｂ）のように、外灯１０として使用することができる。
【００１８】
図２に示すように、照明器具１は、電源線９と、電源変換器２と、ライトの一例としてのＬＥＤライト３と、明るさスイッチ４と、無線ＬＡＮ中継器５とを備える。
【００１９】
電源線９は、プラグ７に接続されるとともに、電源変換器２に接続されている。これにより、電源線９は、プラグ７を介して商用電源９０と接続される。
【００２０】
電源変換器２は、電源線９から供給された交流電力を直流電力に変換する。なお、電源変換器２は、接続される機器に応じた複数種類の電圧を出力可能に構成されていてもよい。
【００２１】
ＬＥＤライト３は、ＬＥＤ(Light Emitting Diode)の発光素子を有し、電源変換器２から供給される電力により発光可能である。
【００２２】
明るさスイッチ４は、電源変換器２とＬＥＤライト３との間に介在され、所定の明るさより暗い場合にＬＥＤライト３を発光させ、所定の明るさより明るい場合にＬＥＤライト３を発光させないように構成された、明暗センサーを有したスイッチである。
【００２３】
無線ＬＡＮ中継器５は、他の無線ＬＡＮ中継器や、無線ＬＡＮルーター２１、スマートフォン２２などの所定の規格に従った無線通信機能を有する機器と無線通信が可能な公知の装置である。無線ＬＡＮ中継器５は、ＬＥＤライト３と並列に電源変換器２に接続されている。なお、無線ＬＡＮルーター２１は、インターネットＮに接続されている。このため、無線ＬＡＮ中継器５およびこれと通信する機器、例えば、スマートフォン２２は、インターネットＮを介して他の通信機器と通信することが可能である。
【００２４】
以上のような構成の照明器具１の作用・効果について説明する。
ソケット１７にプラグ７を接続して外灯１０に照明器具１を接続すると、外灯１０のソケット１７には、通常、常時電力が供給されるので、電源変換器２は、常時、直流電力を出力することができる。
【００２５】
そして、ＬＥＤライト３は、明るさスイッチ４を介して電源変換器２に接続されているので、環境が明るいとき、つまり昼間は、明るさスイッチ４が切断され、ＬＥＤライト３は点灯せず、環境が暗いとき、つまり夜になると、明るさスイッチ４が接続し、ＬＥＤライト３が点灯する。これにより、外灯１０を自動で点灯・消灯させることができる。
【００２６】
一方、無線ＬＡＮ中継器５は、ＬＥＤライト３と並列に電源変換器２と接続されているため、環境が所定の明るさより明るく、明るさスイッチがライトを発光させない場合であっても電力が供給される。このため、公共的な場所に照明器具１が設置され、周囲の環境変化で明るさが変わり、ＬＥＤライト３が点灯・消灯の変化をしても、無線ＬＡＮの通信機能を利用することができる。すなわち、スマートフォン２２は、無線ＬＡＮ中継器５を介してインターネットＮとの通信が可能である。
このように、照明器具１を外灯１０に取り付けるという簡易な作業で、公共的な場所で無線ＬＡＮ網を整備することができる。特に、照明器具１を外灯１０に取り付ける作業は、プラグ７をソケット１７に取り付けるだけであるので簡単である。
【００２７】
［第２実施形態］
次に、照明器具の第２実施形態について説明する。第２実施形態においては、第１実施形態と同じ部分については、図面に第１実施形態と同じ符号を付して説明を省略する。
【００２８】
図３に示すように、第２実施形態に係る照明器具１Ｂは、ＬＥＤライト３が、制御モジュール６を介して接続されている。制御モジュール６は、明るさスイッチ４とは並列に電源変換器２と接続され、明るさスイッチ４の接続・切断とは無関係に電源変換器２から電力が供給されるようになっている。また、制御モジュール６は、明るさスイッチ４に接続されている。さらに、制御モジュール６は、無線ＬＡＮ中継器５と通信可能に接続されている。そして、無線ＬＡＮ中継器５を介して受信した制御信号によりＬＥＤライト３を制御可能に構成されている。
【００２９】
具体的に、制御モジュール６は、スイッチ６Ａと制御部６Ｂとを有している。スイッチ６Ａは、通常時は接続されており、明るさスイッチ４からの電力供給をそのままＬＥＤライト３に出力するように明るさスイッチ４とＬＥＤライト３を直結している。
そして、制御部６Ｂは、無線ＬＡＮ中継器５からの信号の指示に応じて、電源変換器２から受けた電力を、所定のパターン等にしてＬＥＤライト３に出力するようになっている。また、制御部６Ｂは、無線ＬＡＮ中継器５からの信号に応じてＬＥＤライト３を制御する場合には、ＬＥＤライト３の点灯状態が、明るさスイッチ４の影響を受けないように、スイッチ６Ａを切断するように構成されている。
【００３０】
また、無線ＬＡＮ中継器５は、無線接続される端末を特定する端末識別情報を所定の記憶領域に記憶可能である。この記憶領域は、無線ＬＡＮ中継器５内に設けられていてもよいし、無線ＬＡＮ中継器５が通信可能なサーバーが有する記憶領域であってもよい。端末識別情報は、例えば、ＭＡＣアドレスである。そして、無線ＬＡＮ中継器５は、この記憶領域に記憶された端末識別情報に対応する端末が接続された場合に、制御モジュール６を介してＬＥＤライト３を通常時と異なる状態で発光させるように構成されている。
【００３１】
ここで、通常時と異なる状態でＬＥＤライト３を発光させる例としては、通常時よりも強い光で発光させたり、点滅させたり、ＬＥＤライト３が複数色の光源を有している場合には、通常と異なる色で発光させたりすることが含まれる。
【００３２】
以上のような構成の照明器具１Ｂの作用効果について説明する。
照明器具１Ｂは、通常は、第１実施形態と同様の外灯等として利用することができ、明るさスイッチ４の動作に従い、明るいときには消灯し、暗いときには点灯する。
一方、明るさとは無関係にＬＥＤライト３を制御したい場合、管理者がインターネットＮを介して接続された管理用端末２３や、無線ＬＡＮ中継器５に無線接続されたスマートフォン２２を操作し、または、管理用端末２３に予めプログラムされた指令を実行して、ＬＥＤライト３を制御する信号を無線ＬＡＮ中継器５に送る。すると、無線ＬＡＮ中継器５が制御モジュール６にこの信号を送ることにより、ＬＥＤライト３を管理者が望む所望の状態に制御することができる。すなわち、外部の端末から、無線ＬＡＮ中継器５を介して制御モジュール６に制御信号を送ることで、ＬＥＤライト３を自由に制御することができる。例えば、有事の際に、複数の照明器具１Ｂのうち、特定の照明器具１Ｂのみを発光させて誘導灯として使用することもできる。
【００３３】
また、迷子が発生した場合などには、管理者が、所定の記憶領域に、迷子が所持している端末の端末識別情報を書き込む。そうすると、無線ＬＡＮ中継器５にその識別情報に対応する端末が接続された場合に、無線ＬＡＮ中継器５が制御モジュール６を介してＬＥＤライト３を通常と異なる状態で発光させる。
例えば、図４（ａ）に示すように、照明器具１Ｂが、空港のダウンライトとして複数箇所に設置されていれば、迷子Ｐが所持するスマートフォン２２が図の左の照明器具１Ｂに近づいてその無線ＬＡＮ中継器５に接続されれば、この左の照明器具１Ｂが点滅する。そして、迷子Ｐが移動して図４（ｂ）に示すように図の真ん中の照明器具１Ｂに近づいてその無線ＬＡＮ中継器５に接続されれば、この真ん中の照明器具１Ｂが点滅する。
このようにして、端末の移動とともに、端末の近くにある照明器具１Ｂが通常と異なる状態で発光するので、迷子Ｐを見つけやすい。端末識別情報として、行方不明の人や犯罪者などの所持する情報を記憶させれば、行方不明の人や犯罪者を見つけることもできる。
【００３４】
以上に本発明の実施形態について説明したが、本発明は前記した実施形態に限定されるものではない。具体的な構成については、本発明の趣旨を逸脱しない範囲で適宜変更が可能である。
【００３５】
例えば、前記実施形態においては、照明器具１はプラグ７を有していたが、照明器具は、ソケットを有していなくてもよく、電源線９を商用電源９０に直結しても構わない。
【００３６】
また、無線ＬＡＮ中継器５は、照明器具１，１Ｂに接続された端末の端末識別情報と、その接続時刻を、特定の記憶領域に蓄積して記憶しておいてもよい。このようにすることで、記憶した端末識別情報を、犯罪発生時の犯人の捜索や、行方不明者の捜索に役立てることができる。
【００３７】
また、前記実施形態では、ライトの一例としてＬＥＤライト３を示したが、ライトの種類は限定されず、有機ＥＬ(Electro Luminescence)などであってもよい。
【００３８】
また、明るさスイッチは、ライトを消灯する場合に、電流を完全に切断しなくてもよく、ライトが点灯しない程度に、微弱な電流を流してもよい。
【００３９】
また、本発明の照明器具は、公共の場所の無線ＬＡＮの整備に適するものであるが、当然ながら一般家庭においても使用可能である。例えば、家庭の外灯などにこの照明器具を使用すれば、庭などの屋外において屋内から無線ＬＡＮを中継して、無線ＬＡＮを快適に使用することができる。
【００４０】
前記実施形態においては、蛍光灯形のソケットとプラグを例示したが、ソケットとプラグの形状は特に限定されない。
【符号の説明】
【００４１】
１，１Ｂ  照明器具
２      電源変換器
３      ＬＥＤライト
４      スイッチ
５      無線ＬＡＮ中継器
６      制御モジュール
７      プラグ
９      電源線
１７    ソケット
９０    商用電源
【図１】
2020107450.tif 000003
【図２】
2020107450.tif 000004
【図３】
2020107450.tif 000005
【図４】
2020107450.tif 000006